(57)【要約】【課題】建物の屋根部の屋根投影平面積に基づく竪樋の必要本数を満足させ、かつ、軒樋の長さ寸法に基づく竪樋の必要本数を満足させる竪樋の本数を算出することができる竪樋本数算出システムを提供する。【解決手段】建物１の屋根部２の屋根投影平面積と、軒樋４の仕様及び竪樋５の仕様に基づいて決定される竪樋５の一本あたりの負担屋根投影平面積と、に基づいて、竪樋５の第一の必要本数を算出する第一必要本数算出処理部（制御部１０２）と、軒樋４の長さ寸法と、軒樋４の仕様及び竪樋５の仕様に基づいて決定される竪樋５の最大離間距離と、に基づいて、竪樋５の第二の必要本数を算出する第二必要本数算出処理部（制御部１０２）と、第一の必要本数と、第二の必要本数と、のうち本数が多い方を建物１における竪樋５の必要本数として算出する必要本数決定処理部（制御部１０２）と、を具備する。【選択図】図３
2020166613.tif 000002
【特許請求の範囲】
【請求項１】
建物の屋根部の屋根投影平面積と、軒樋の仕様及び竪樋の仕様に基づいて決定される前記竪樋の一本あたりの負担屋根投影平面積と、に基づいて、前記竪樋の第一の必要本数を算出する第一必要本数算出処理部と、
前記軒樋の長さ寸法と、前記軒樋の仕様及び前記竪樋の仕様に基づいて決定される前記竪樋の最大離間距離と、に基づいて、前記竪樋の第二の必要本数を算出する第二必要本数算出処理部と、
前記第一の必要本数と、前記第二の必要本数と、のうち本数が多い方を前記建物における前記竪樋の必要本数として算出する必要本数決定処理部と、
を具備する竪樋本数算出システム。
【請求項２】
前記第一必要本数算出処理部は、
前記屋根投影平面積を、前記竪樋の一本あたりの負担屋根投影平面積で除算することで、前記竪樋の第一の必要本数を算出する、
請求項１に記載の竪樋本数算出システム。
【請求項３】
前記第一必要本数算出処理部は、
前記建物が建設される地域の地域情報に対応する降雨強度に基づいて、前記竪樋の一本あたりの負担屋根投影平面積を決定する、
請求項１又は請求項２に記載の竪樋本数算出システム。
【請求項４】
前記第二必要本数算出処理部は、
前記軒樋の長さ寸法を、前記竪樋の最大離間距離で除算することで、前記竪樋の第二の必要本数を算出する、
請求項１から請求項３までのいずれか一項に記載の竪樋本数算出システム。
【請求項５】
前記第二必要本数算出処理部は、
前記軒樋が複数に分割されている場合、
前記複数の軒樋ごとに前記竪樋の本数を算出すると共に、当該複数の軒樋ごとの前記竪樋の本数の合計を前記竪樋の第二の必要本数とする、
請求項１から請求項４までのいずれか一項に記載の竪樋本数算出システム。
【請求項６】
前記第一必要本数算出処理部は、
前記軒樋の仕様及び前記竪樋の仕様の組み合わせが、サイホン式の雨樋を構成するか否かの判断に基づいて、前記竪樋の一本あたりの負担屋根投影平面積を決定し、
前記第二必要本数算出処理部は、
前記軒樋の仕様及び前記竪樋の仕様の組み合わせが、サイホン式の雨樋を構成するか否かの判断に基づいて、前記竪樋の最大離間距離を決定する、
請求項１から請求項５までのいずれか一項に記載の竪樋本数算出システム。
【請求項７】
前記第一必要本数算出処理部は、
前記軒樋の仕様及び前記竪樋の仕様の組み合わせが、サイホン式の雨樋を構成する場合、前記竪樋の垂直落差が、所定の距離以下であるか否かの判断に基づいて、前記竪樋の一本あたりの負担屋根投影平面積を決定し、
前記第二必要本数算出処理部は、
前記軒樋の仕様及び前記竪樋の仕様の組み合わせが、サイホン式の雨樋を構成する場合、前記竪樋の垂直落差が、所定の距離以下であるか否かの判断に基づいて、前記竪樋の最大離間距離を決定する、
請求項６に記載の竪樋本数算出システム。
【発明の詳細な説明】
【技術分野】
【０００１】
本発明は、竪樋本数算出システムに関する。
【背景技術】
【０００２】
従来、建物に設置される雨樋に関する設計支援システムの技術は公知となっている。例えば、特許文献１に記載の如くである。
【０００３】
特許文献１には、建物の邸別設計情報を用いて、排水ドレイン及び竪樋の必要数を決定する排水ドレイン配置設計プログラムが記載されている。上記排水ドレイン配置設計プログラムは、雨樋における外樋の周長を、排水ドレイン１つあたりで負担できる外樋の長さで除算することで、排水ドレイン及び竪樋の必要数を決定する構成とされている。
【０００４】
ここで、竪樋（排水ドレイン）の必要数は、建物の屋根部の屋根投影平面積と、竪樋（排水ドレイン）１つあたりで負担できる屋根投影平面積と、に基づく算出方法によっても算出される。しかしながら、上述した特許文献１に記載される排水ドレイン配置設計プログラムは、このような屋根投影平面積に基づく算出方法によっては竪樋（排水ドレイン）の必要数を算出しない。
【０００５】
このことから、上記排水ドレイン配置設計プログラムで算出した竪樋（排水ドレイン）の必要数が、上記屋根投影平面積に基づく算出方法によっても適当であるか（必要数を満足するか）否かを判断するには、別途、算出の工程が必要となり、設計者の負担となることが考えられる。
【先行技術文献】
【特許文献】
【０００６】
【特許文献１】特許第４８４５２７５号公報
【発明の概要】
【発明が解決しようとする課題】
【０００７】
本発明は、以上の如き状況を鑑みてなされたものであり、その解決しようとする課題は、建物の屋根部の屋根投影平面積に基づく竪樋の必要本数を満足させ、かつ、軒樋の長さ寸法に基づく竪樋の必要本数を満足させる竪樋の本数を算出可能な竪樋本数算出システムを提供するものである。
【課題を解決するための手段】
【０００８】
本発明の解決しようとする課題は以上の如くであり、次にこの課題を解決するための手段を説明する。
【０００９】
即ち、請求項１においては、建物の屋根部の屋根投影平面積と、軒樋の仕様及び竪樋の仕様に基づいて決定される前記竪樋の一本あたりの負担屋根投影平面積と、に基づいて、前記竪樋の第一の必要本数を算出する第一必要本数算出処理部と、前記軒樋の長さ寸法と、前記軒樋の仕様及び前記竪樋の仕様に基づいて決定される前記竪樋の最大離間距離と、に基づいて、前記竪樋の第二の必要本数を算出する第二必要本数算出処理部と、前記第一の必要本数と、前記第二の必要本数と、のうち本数が多い方を前記建物における前記竪樋の必要本数として算出する必要本数決定処理部と、を具備するものである。
【００１０】
請求項２においては、前記第一必要本数算出処理部は、前記屋根投影平面積を、前記竪樋の一本あたりの負担屋根投影平面積で除算することで、前記竪樋の第一の必要本数を算出するものである。
【００１１】
請求項３においては、前記第一必要本数算出処理部は、前記建物が建設される地域の地域情報に対応する降雨強度に基づいて、前記竪樋の一本あたりの負担屋根投影平面積を決定するものである。
【００１２】
請求項４においては、前記第二必要本数算出処理部は、前記軒樋の長さ寸法を、前記竪樋の最大離間距離で除算することで、前記竪樋の第二の必要本数を算出するものである。
【００１３】
請求項５においては、前記第二必要本数算出処理部は、前記軒樋が複数に分割されている場合、前記複数の軒樋ごとに前記竪樋の本数を算出すると共に、当該複数の軒樋ごとの前記竪樋の本数の合計を前記竪樋の第二の必要本数とするものである。
【００１４】
請求項６においては、前記第一必要本数算出処理部は、前記軒樋の仕様及び前記竪樋の仕様の組み合わせが、サイホン式の雨樋を構成するか否かの判断に基づいて、前記竪樋の一本あたりの負担屋根投影平面積を決定し、前記第二必要本数算出処理部は、前記軒樋の仕様及び前記竪樋の仕様の組み合わせが、サイホン式の雨樋を構成するか否かの判断に基づいて、前記竪樋の最大離間距離を決定するものである。
【００１５】
請求項７においては、前記第一必要本数算出処理部は、前記軒樋の仕様及び前記竪樋の仕様の組み合わせが、サイホン式の雨樋を構成する場合、前記竪樋の垂直落差が、所定の距離以下であるか否かの判断に基づいて、前記竪樋の一本あたりの負担屋根投影平面積を決定し、前記第二必要本数算出処理部は、前記軒樋の仕様及び前記竪樋の仕様の組み合わせが、サイホン式の雨樋を構成する場合、前記竪樋の垂直落差が、所定の距離以下であるか否かの判断に基づいて、前記竪樋の最大離間距離を決定するものである。
【発明の効果】
【００１６】
本発明の効果として、以下に示すような効果を奏する。
【００１７】
請求項１においては、建物の屋根部の屋根投影平面積に基づく竪樋の必要本数を満足させ、かつ、軒樋の長さ寸法に基づく竪樋の必要本数を満足させる竪樋の本数を算出することができる。
【００１８】
請求項２においては、屋根投影平面積と、竪樋の一本あたりの負担屋根投影平面積と、を用いた竪樋の第一の必要本数の算出を行うことができる。
【００１９】
請求項３においては、竪樋の一本あたりの負担屋根投影平面積を好適に決定することができる。
【００２０】
請求項４においては、軒樋の長さ寸法と、竪樋の最大離間距離と、を用いた竪樋の第二の必要本数の算出を行うことができる。
【００２１】
請求項５においては、軒樋が複数設けられた建物において、竪樋の第二の必要本数の算出を行うことができる。
【００２２】
請求項６においては、軒樋の仕様及び竪樋の仕様の組み合わせにより定まる雨樋のサイホン性能に基づいて、竪樋の一本あたりの負担屋根投影平面積及び竪樋の最大離間距離を決定することができる。
【００２３】
請求項７においては、雨樋のサイホン性能の有無に基づいて、竪樋の一本あたりの負担屋根投影平面積及び竪樋の最大離間距離を決定することができる。
【図面の簡単な説明】
【００２４】
【図１】本発明の一実施形態に係る竪樋本数算出システムの対象となる建物を模式的に示した平面図。
【図２】建物を模式的に示した側面。
【図３】竪樋本数算出システムの構成を示したブロック図。
【図４】軒樋及び竪樋の仕様と、地域情報ごとの竪樋一本あたりの負担屋根投影平面積と、の関係を示した表。
【図５】軒樋及び竪樋の仕様と、竪樋の最大離隔距離と、の関係を示した表。
【図６】竪樋本数算出処理を示したフローチャート。
【図７】第一必要本数算出処理を示したフローチャート。
【図８】第二必要本数算出処理を示したフローチャート。
【発明を実施するための形態】
【００２５】
以下では、本発明の一実施形態に係る竪樋本数算出システム１００について説明する。まず、図１及び図２に示す当該竪樋本数算出システム１００の対象となる建物１について説明する。
【００２６】
建物１は、所定の敷地に建てられる住宅である。本実施形態では、建物１を戸建て住宅としている。建物１の階数としては、適宜の階数を採用可能である。また、建物１は、戸建て住宅に限られず集合住宅としてもよい。建物１は、屋根部２及び雨樋３を具備する。
【００２７】
屋根部２は、建物１の上部を覆うものである。屋根部２の形状としては、寄棟や切妻等、種々の形状を採用可能である。なお、図例では、屋根部２の形状を寄棟とした例を示している。屋根部２は、平面視において、略矩形状とされている。
【００２８】
雨樋３は、屋根部２の雨水を集めると共に排水するものである。雨樋３は、軒樋４及び竪樋５を具備する。
【００２９】
軒樋４は、屋根部２の雨水を集めるものである。軒樋４は、屋根部の周方向に沿って長尺とされると共に、上方に開口する形状とされる。軒樋４は、図１に示すように、屋根部２の全周に亘って設けられる。軒樋４は、所定の取付手段を介して、建物１の軒先に設けられる。
【００３０】
軒樋４の底部には、集めた雨水を下方に排水する落し口（排水ドレイン）が複数個所に設けられる。軒樋４は、落し口が下流に位置するような傾斜（水勾配）が付与される。上記水勾配は、軒樋４の排水性能等に基づいて設定される。水勾配としては、例えば１／１０００〜１／３００とすることが考えられる。
【００３１】
竪樋５は、軒樋４に集められた雨水を排水するものである。竪樋５は、図２に示すように、上下方向に長尺な筒形状とされている。竪樋５の上端は、軒樋４の落し口に接続される。また、竪樋５の下端は、地中に埋設された排水管に接続される。また、建物１に、バルコニーや下屋根を設ける場合であって、当該バルコニー及び下屋根の雨水を排出する樋を設けた場合、竪樋５の上下方向途中部位において、上記樋が接続される合流部を設けることができる。これにより、上記バルコニー及び下屋根の雨水を竪樋５に合流させることが可能である。
【００３２】
次に、竪樋本数算出システム１００について説明する。
【００３３】
図３に示す竪樋本数算出システム１００は、建物１に必要な竪樋５の本数（必要本数）を算出するものである。竪樋本数算出システム１００は、主として記憶部１０１、制御部１０２、表示部１０３及び入力部１０４を具備する。
【００３４】
記憶部１０１は、各種のプログラムやデータ等が記憶されるものである。記憶部１０１は、ＨＤＤ、ＲＡＭ、ＲＯＭ等により構成される。
【００３５】
制御部１０２は、記憶部１０１に記憶されたプログラムを実行するものである。制御部１０２は、ＣＰＵにより構成される。
【００３６】
表示部１０３は、各種の情報を表示するものである。表示部１０３は、液晶ディスプレイ等により構成される。
【００３７】
入力部１０４は、各種の情報を入力するためのものである。入力部１０４は、キーボード、マウス等により構成される。
【００３８】
このように、竪樋本数算出システム１００としては、一般的なパーソナルコンピュータ等を用いることができる。
【００３９】
竪樋本数算出システム１００は、竪樋本数算出処理を実行可能である。竪樋本数算出処理は、建物１における竪樋５の必要本数を自動で算出するものである。竪樋本数算出処理は、所定の入力値に基づいて行われる。
【００４０】
上記所定の入力値は、竪樋本数算出処理を実行する前に、入力部１０４を介して入力される。ここで、所定の入力値には、建物１の計画情報や、地域情報、軒樋４及び竪樋５の仕様情報が含まれる。上記所定の入力値は、記憶部１０１に記憶される。
【００４１】
計画情報は、建物１の設計計画を示す情報である。計画情報には、平面視における屋根部２の全体の面積（屋根投影平面積）の情報が含まれる。屋根投影平面積は、屋根部２の幅寸法及び奥行寸法により求めるようにしてもよく、建物１の床面積及び軒出面積により求めるようにしてもよい。
【００４２】
また、計画情報には、軒樋４の長さ寸法の情報が含まれる。軒樋４の長さ寸法は、連続する軒樋４の長さ寸法である。また、軒樋４が、屋根部２の周方向に沿って複数に分割されている場合には、上記複数の軒樋４のそれぞれの長さ寸法を、軒樋４の長さ寸法として把握する。
【００４３】
また、計画情報には、竪樋５の垂直落差の情報が含まれる。ここで、竪樋５の垂直落差とは、竪樋５に合流部が設けられていない場合においては、竪樋５における上端部（落し口に接続される部分）から下端部までの距離である。また、垂直落差は、竪樋５に合流部が設けられている場合においては、竪樋５における上端部（落し口に接続される部分）から合流部までの距離である。
【００４４】
また、計画情報には、建物１の階数や、軒先から地面までの距離、バルコニー及び下屋根の有無や面積等の情報が含まれる。また、計画情報は、上述した建物１の情報が含まれるおおまかなプランであってもよく、設計図面であってもよい。
【００４５】
また、地域情報は、所定の地域を、雨量（降雨強度）に基づいて複数の地域区分に分類したものである。本実施形態では、都道府県を単位として、全都道府県を降雨強度ごとに三つの地域区分に分類している。なお、上記分類される地域の単位としては、都道府県を更に細分化したものを採用してもよい。
【００４６】
降雨強度とは、瞬間的な雨の強さ（例えば十分間の雨の強さ）を一時間あたりの雨量に換算したものである。本実施形態では、都道府県別の降雨強度の最大記録を基に、全都道府県を、第一地域、第二地域及び第三地域の三つの地域区分に分類している。
【００４７】
具体的には、図４に示すように、上記降雨強度の記録が１６０ｍｍ／ｈ以下であり、１４０ｍｍ／ｈを超える地域を、第一地域としている。また、上記降雨強度の記録が１４０ｍｍ／ｈ以下であり、１２０ｍｍ／ｈを超える地域を、第二地域としている。また、上記降雨強度の記録が１２０ｍｍ／ｈ以下の地域を、第三地域としている。このように、上記地域区分においては、第一地域、第二地域及び第三地域の順番に雨量が多くなる。
【００４８】
また、軒樋４及び竪樋５の仕様情報は、軒樋４及び竪樋５の仕様に関する情報である。ここで、軒樋４及び竪樋５の仕様とは、軒樋４及び竪樋５の種類や形状、内径、材質等、排水性能に関する構成を意味する。
【００４９】
雨樋３において、竪樋５の一本あたりの排水性能は、軒樋４の仕様及び竪樋５の仕様の組み合わせによって定まる。例えば、軒樋４の仕様及び竪樋５の仕様の組み合わせにより、サイホン式の雨樋３を構成する場合、竪樋５の一本あたりの排水性能は比較的向上する。これにより、竪樋５の本数を比較的少なくすることができる。ここで、サイホン式の雨樋３とは、竪樋５の内部に雨水を満たすことで、サイホン効果により雨水を引き込み可能な構成とし、排水性能を向上させた雨樋３である。
【００５０】
本実施形態では、一例として、軒樋４及び竪樋５について、それぞれ第一の仕様及び第二の仕様を有するものとする。また、以下では、図４に示すように、第一の仕様の軒樋４及び第一の仕様の竪樋５を組み合わせた雨樋３（以下では、「第一の雨樋３」と称して説明する）と、第二の仕様の軒樋４及び第二の仕様の竪樋５を組み合わせた雨樋３（以下では、「第二の雨樋３」と称して説明する）と、の二種類の雨樋３を例示して説明する。なお、第一の雨樋３及び第二の雨樋３は、いずれもサイホン式の雨樋３であるものとする。
【００５１】
なお、サイホン式の雨樋３において、サイホン効果による排水性能（サイホン性能）を発揮させるには、竪樋５の垂直落差が所定の距離以上であることが条件となる。本実施形態では、竪樋５の垂直落差が２ｍ以上であることを、サイホン性能を発揮させる条件としている。すなわち、竪樋５の垂直落差が２ｍ未満である場合、雨樋３をサイホン性能を発揮不能なものとみなす。この場合、サイホン式の雨樋３であっても、当該雨樋３の排水性能を非サイホン式の雨樋３の排水性能と同様とみなす。
【００５２】
上述した雨樋３の排水性能により、竪樋５の一本あたりの負担屋根投影平面積と、竪樋５の最大離隔距離が定まる。以下では、まず、竪樋５の一本あたりの負担屋根投影平面積について説明する。
【００５３】
負担屋根投影平面積は、竪樋５の排水性能の範囲で排水（負担）可能な屋根部２の面積である。負担屋根投影平面積は、建物１が建設される地域の降雨強度に基づいて決定される。本実施形態では、負担屋根投影平面積を、上述したように都道府県ごとの降雨強度に基づく地域区分である第一地域、第二地域及び第三地域に基づいて定めている。具体的には、本実施形態では、竪樋５の一本あたりの負担屋根投影平面積を、図４に示すものとしている。
【００５４】
すなわち、サイホン性能を発揮可能な第一の雨樋３について、竪樋５の一本あたりの負担屋根投影平面積を、第一地域においては６５ｍ２とし、第二地域においては７５ｍ２とし、第三地域においては８５ｍ２としている。
【００５５】
また、サイホン性能を発揮可能な第二の雨樋３について、竪樋５の一本あたりの負担屋根投影平面積を、第一地域においては５５ｍ２とし、第二地域においては６５ｍ２とし、第三地域においては７５ｍ２としている。
【００５６】
また、サイホン性能を発揮不能な第一の雨樋３及び第二の雨樋３について、竪樋５の一本あたりの負担屋根投影平面積を、第一地域、第二地域及び第三地域のいずれも３０ｍ２としている。なお、上述した負担屋根投影平面積は一例であり、負担屋根投影平面積としては上述したものに限られない。
【００５７】
次に、竪樋５の最大離隔距離について説明する。
【００５８】
最大離隔距離は、雨樋３において隣り合う竪樋５同士の最大（最長）の距離（間隔）である。最大離隔距離は、竪樋５の一本あたりの排水性能に基づいて定まる。本実施形態では、竪樋５の最大離隔距離を、図５に示すものとしている。
【００５９】
すなわち、サイホン性能を発揮可能な第一の雨樋３について、竪樋５の最大離隔距離を２０．５ｍとしている。また、サイホン性能を発揮可能な第二の雨樋３について、竪樋５の最大離隔距離を１５．５ｍとしている。また、サイホン性能を発揮不能な第一の雨樋３及び第二の雨樋３について、いずれも、竪樋５の最大離隔距離を１０ｍとしている。なお、上述した最大離隔距離は一例であり、最大離隔距離としては上述したものに限られない。
【００６０】
竪樋本数算出処理は、操作者による操作を契機として実行される。以下では、図６のフローチャートを用いて、竪樋本数算出処理において制御部１０２が行う処理について説明する。本実施形態に係る竪樋本数算出処理においては、第一必要本数算出処理、第二必要本数算出処理及び必要本数決定処理が、上記した順番に行われる。
【００６１】
まず、制御部１０２は、第一必要本数算出処理（ステップＳ１０）を行う。第一必要本数算出処理は、建物１の屋根部２の屋根投影平面積と、所定の雨樋３における竪樋５の一本あたりの負担屋根投影平面積と、に基づいて竪樋５の第一の必要本数を算出する処理である。
【００６２】
上記竪樋５の一本あたりの負担屋根投影平面積を求めるために必要な情報は、予め操作者により入力（選択）される。具体的には、操作者は、第一必要本数算出処理に先立って、上記所定の雨樋３を構成する軒樋４の仕様及び竪樋５の仕様の組み合わせを選択すると共に、第一地域から第三地域までの地域区分のうち、建物１が建設される地域が含まれるものを選択する。
【００６３】
以下では、図７のフローチャートを用いて、第一必要本数算出処理について説明する。
【００６４】
ステップＳ２０において、制御部１０２は、雨樋３がサイホン式であるか否かを判断する。制御部１０２は、雨樋３がサイホン式であると判断した場合（ステップＳ２０：ＹＥＳ）には、ステップＳ２１の処理へ移行する。一方、制御部１０２は、雨樋３がサイホン式でないと判断した場合（ステップＳ２０：ＮＯ）には、ステップＳ２３の処理へ移行する。
【００６５】
ステップＳ２１において、制御部１０２は、雨樋３における竪樋５の垂直落差が２ｍ以上であるか（サイホン性能を発揮可能であるか）否かを判断する。制御部１０２は、竪樋５の垂直落差が２ｍ以上であると判断した場合（ステップＳ２１：ＹＥＳ）には、ステップＳ２２の処理へ移行する。一方、制御部１０２は、竪樋５の垂直落差が２ｍ未満であると判断した場合（ステップＳ２１：ＮＯ）には、ステップＳ２３の処理へ移行する。
【００６６】
ステップＳ２２において、制御部１０２は、屋根部２の屋根投影平面積と、サイホン性能を発揮可能な雨樋３における竪樋５の一本あたりの負担屋根投影平面積と、に基づいて竪樋５の第一の必要本数を算出する。具体的には、制御部１０２は、屋根部２の屋根投影平面積を、サイホン性能を発揮可能な雨樋３における竪樋５の一本あたりの負担屋根投影平面積で除算することで竪樋５の第一の必要本数を算出する。
【００６７】
上記算出に際して、制御部１０２は、軒樋４及び竪樋５の仕様と、建物１が建設される地域の地域情報に対応する降雨強度と、の関係から、竪樋５の一本あたりの負担屋根投影平面積を取得する。制御部１０２は、ステップＳ２２の処理を実行した後、第一必要本数算出処理を終了する。
【００６８】
ステップＳ２３において、制御部１０２は、屋根部２の屋根投影平面積と、サイホン性能を発揮不能な雨樋３における竪樋５の一本あたりの負担屋根投影平面積と、に基づいて竪樋５の第一の必要本数を算出する。具体的には、制御部１０２は、屋根部２の屋根投影平面積を、サイホン性能を発揮不能な雨樋３における竪樋５の一本あたりの負担屋根投影平面積で除算することで竪樋５の第一の必要本数を算出する。制御部１０２は、ステップＳ２３の処理を実行した後、第一必要本数算出処理を終了する。
【００６９】
次に、制御部１０２は、第二必要本数算出処理（ステップＳ１１）を行う（図６参照）。第二必要本数算出処理は、軒樋４の長さ寸法と、所定の雨樋３における竪樋５の最大離隔距離と、に基づいて竪樋５の第二の必要本数を算出する処理である。
【００７０】
以下では、図８のフローチャートを用いて、第二必要本数算出処理について説明する。
【００７１】
ステップＳ３０において、制御部１０２は、雨樋３がサイホン式であるか否かを判断する。制御部１０２は、雨樋３がサイホン式であると判断した場合（ステップＳ３０：ＹＥＳ）には、ステップＳ３１の処理へ移行する。一方、制御部１０２は、雨樋３がサイホン式でないと判断した場合（ステップＳ３０：ＮＯ）には、ステップＳ３３の処理へ移行する。
【００７２】
ステップＳ３１において、制御部１０２は、雨樋３における竪樋５の垂直落差が２ｍ以上であるか（サイホン性能を発揮可能であるか）否かを判断する。制御部１０２は、竪樋５の垂直落差が２ｍ以上であると判断した場合（ステップＳ３１：ＹＥＳ）には、ステップＳ３２の処理へ移行する。一方、制御部１０２は、竪樋５の垂直落差が２ｍ未満であると判断した場合（ステップＳ３１：ＮＯ）には、ステップＳ３３の処理へ移行する。
【００７３】
ステップＳ３２において、制御部１０２は、軒樋４の長さ寸法と、サイホン性能を発揮可能な雨樋３における竪樋５の最大離隔距離と、に基づいて竪樋５の第二の必要本数を算出する。具体的には、制御部１０２は、軒樋４の長さ寸法を、サイホン性能を発揮可能な雨樋３における竪樋５の最大離隔距離で除算することで竪樋５の第二の必要本数を算出する。
【００７４】
ここで、雨樋３において、軒樋４が複数に分割されている場合には、制御部１０２は、上記複数の軒樋４ごとに、当該軒樋４の長さ寸法を竪樋５の最大離隔距離で除算する処理を実行すると共に、上記複数の軒樋４ごとに算出された竪樋５の本数の合計を竪樋５の第二の必要本数として算出する。制御部１０２は、ステップＳ３２の処理を実行した後、第二必要本数算出処理を終了する。
【００７５】
ステップＳ３３において、制御部１０２は、軒樋４の長さ寸法と、サイホン性能を発揮不能な雨樋３における竪樋５の最大離隔距離と、に基づいて竪樋５の第二の必要本数を算出する。具体的には、制御部１０２は、軒樋４の長さ寸法を、サイホン性能を発揮不能な雨樋３における竪樋５の最大離隔距離で除算することで竪樋５の第二の必要本数を算出する。
【００７６】
ここで、雨樋３において、軒樋４が複数に分割されている場合には、制御部１０２は、上記ステップＳ３２の処理と同様、上記複数の軒樋４ごとに算出した竪樋５の本数の合計を竪樋５の第二の必要本数として算出する。制御部１０２は、ステップＳ３３の処理を実行した後、第二必要本数算出処理を終了する。
【００７７】
次に、制御部１０２は、必要本数決定処理（ステップＳ１２）を行う（図６参照）。必要本数決定処理は、竪樋５の第一の必要本数及び第二の必要本数に基づいて、建物１における竪樋５の必要本数を算出する処理である。
【００７８】
具体的には、制御部１０２は、第一必要本数算出処理において算出した竪樋５の第一の必要本数と、第二必要本数算出処理において算出した竪樋５の第二の必要本数と、を比較すると共に、竪樋５の第一の必要本数と、竪樋５の第二の必要本数と、のうち本数が多い方を建物１における竪樋５の必要本数として算出する。この際、表示部１０３には、上記建物１における竪樋５の必要本数が表示される。制御部１０２は、ステップＳ１２の処理を実行した後、竪樋本数算出処理を終了する。
【００７９】
上記構成によれば、雨樋３における竪樋５の必要本数の算出を好適に行うことができる。すなわち、竪樋本数算出システム１００により、建物１の屋根部２の屋根投影平面積と、竪樋５の一本あたりの負担屋根投影平面積と、に基づく竪樋５の第一の必要本数を満足させ、かつ、軒樋４の長さ寸法と、竪樋５の最大離隔距離を満足させる最低限の竪樋５と、に基づく竪樋５の第二の必要本数を満足させる竪樋５の必要本数を自動で算出することができる。これにより、建物１に設置される雨樋３において、竪樋５の本数が足りず、雨樋３の排水性能が不足することを抑制することができる。また、竪樋５の本数が過剰となり、雨樋３のコストが増大することを抑制することができる。
【００８０】
また、上記構成によれば、雨樋３の排水性能に基づいて、竪樋５の必要本数の算出を好適に行うことができる。すなわち、雨樋３がサイホン式の雨樋３であるか否かや、雨樋３のサイホン性能の有無に基づいて、竪樋５の必要本数の算出を行うことができる。
【００８１】
以上のように、本発明の一実施形態に係る竪樋本数算出システム１００は、
建物１の屋根部２の屋根投影平面積と、軒樋４の仕様及び竪樋５の仕様に基づいて決定される前記竪樋５の一本あたりの負担屋根投影平面積と、に基づいて、前記竪樋５の第一の必要本数を算出する（ステップＳ１０）第一必要本数算出処理部（制御部１０２）と、
前記軒樋４の長さ寸法と、前記軒樋４の仕様及び前記竪樋５の仕様に基づいて決定される前記竪樋５の最大離間距離と、に基づいて、前記竪樋５の第二の必要本数を算出する（ステップＳ１１）第二必要本数算出処理部（制御部１０２）と、
前記第一の必要本数と、前記第二の必要本数と、のうち本数が多い方を前記建物１における前記竪樋５の必要本数として算出する（ステップＳ１２）必要本数決定処理部（制御部１０２）と、
を具備するものである。
【００８２】
このような構成により、建物１の屋根部２の屋根投影平面積に基づく竪樋５の必要本数を満足させ、かつ、軒樋４の長さ寸法に基づく竪樋５の必要本数を満足させる竪樋５の本数を算出することができる。すなわち、建物１の屋根部２の屋根投影平面積と、竪樋５の一本あたりの負担屋根投影平面積と、に基づく竪樋５の第一の必要本数を満足させ、かつ、軒樋４の長さ寸法と、竪樋５の最大離隔距離を満足させる最低限の竪樋５と、に基づく竪樋５の第二の必要本数を満足させる竪樋５の必要本数を自動で算出することができる。これにより、建物１に設置される雨樋３において、竪樋５の本数が足りず、雨樋３の排水性能が不足することを抑制することができる。また、竪樋５の本数が過剰となり、雨樋３のコストが増大することを抑制することができる。
【００８３】
また、前記第一必要本数算出処理部（制御部１０２）は、
前記屋根投影平面積を、前記竪樋５の一本あたりの負担屋根投影平面積で除算することで、前記竪樋５の第一の必要本数を算出するものである。
【００８４】
このような構成により、屋根投影平面積と、竪樋５の一本あたりの負担屋根投影平面積と、を用いた竪樋５の第一の必要本数の算出を行うことができる。
【００８５】
また、前記第一必要本数算出処理部（制御部１０２）は、
前記建物１が建設される地域の地域情報に対応する降雨強度に基づいて、前記竪樋５の一本あたりの負担屋根投影平面積を決定するものである。
【００８６】
このような構成により、竪樋５の一本あたりの負担屋根投影平面積を好適に決定することができる。すなわち、建物１が建設される地域に対応する降雨強度を考慮して竪樋５の一本あたりの負担屋根投影平面積を決定することができる。
【００８７】
また、前記第二必要本数算出処理部（制御部１０２）は、
前記軒樋４の長さ寸法を、前記竪樋５の最大離間距離で除算することで、前記竪樋５の第二の必要本数を算出するものである。
【００８８】
このような構成により、軒樋４の長さ寸法と、竪樋５の最大離間距離と、を用いた竪樋５の第二の必要本数の算出を行うことができる。
【００８９】
また、前記第二必要本数算出処理部（制御部１０２）は、
前記軒樋４が複数に分割されている場合、
前記複数の軒樋４ごとに前記竪樋５の本数を算出すると共に、当該複数の軒樋４ごとの前記竪樋５の本数の合計を前記竪樋５の第二の必要本数とするものである。
【００９０】
このような構成により、軒樋４が複数に分割されている建物１において、竪樋５の第二の必要本数の算出を行うことができる。
【００９１】
また、前記第一必要本数算出処理部（制御部１０２）は、
前記軒樋４の仕様及び前記竪樋５の仕様の組み合わせが、サイホン式の雨樋３を構成するか否かの判断（ステップＳ２０）に基づいて、前記竪樋５の一本あたりの負担屋根投影平面積を決定し、
前記第二必要本数算出処理部（制御部１０２）は、
前記軒樋４の仕様及び前記竪樋５の仕様の組み合わせが、サイホン式の雨樋３を構成するか否かの判断（ステップＳ３０）に基づいて、前記竪樋５の最大離間距離を決定するものである。
【００９２】
このような構成により、軒樋４の仕様及び竪樋５の仕様の組み合わせにより定まる雨樋３のサイホン性能に基づいて、竪樋５の一本あたりの負担屋根投影平面積及び竪樋５の最大離間距離を決定することができる。
【００９３】
また、前記第一必要本数算出処理部（制御部１０２）は、
前記軒樋４の仕様及び前記竪樋５の仕様の組み合わせが、サイホン式の雨樋３を構成する場合（ステップＳ２０：ＹＥＳ）、前記竪樋５の垂直落差が、所定の距離以下であるか否かの判断（ステップＳ２１）に基づいて、前記竪樋５の一本あたりの負担屋根投影平面積を決定し、
前記第二必要本数算出処理部（制御部１０２）は、
前記軒樋４の仕様及び前記竪樋５の仕様の組み合わせが、サイホン式の雨樋３を構成する場合（ステップＳ３０：ＹＥＳ）、前記竪樋５の垂直落差が、所定の距離以下であるか否かの判断（ステップＳ３１）に基づいて、前記竪樋５の最大離間距離を決定するものである。
【００９４】
このような構成により、雨樋３のサイホン性能の有無に基づいて、竪樋５の一本あたりの負担屋根投影平面積及び竪樋５の最大離間距離を決定することができる。すなわち、軒樋４の仕様及び竪樋５の仕様の組み合わせが、サイホン式の雨樋３を構成する場合であっても、竪樋５の垂直落差が、所定の距離以下であり、サイホン性能を発揮しない場合を考慮して竪樋５の一本あたりの負担屋根投影平面積及び竪樋５の最大離間距離を決定することができる。
【００９５】
なお、本実施形態に係る制御部１０２は、本発明に係る第一必要本数算出処理部、第二必要本数算出処理部及び必要本数決定処理部の一形態である。
【００９６】
以上、本発明の実施形態を説明したが、本発明は上記構成に限定されるものではなく、特許請求の範囲に記載された発明の範囲内で種々の変更が可能である。
【００９７】
例えば、本実施形態では、軒樋４の仕様及び竪樋５の仕様を、それぞれ第一の仕様及び第二の仕様とした例を示したが、このような態様に限られない。軒樋４の仕様及び竪樋５の仕様としては、種々のものを採用可能である。
【００９８】
また、本実施形態では、雨樋３をサイホン式の雨樋３とした例を示したが、このような態様に限られない。例えば、雨樋３を非サイホン式の雨樋３としてもよい。
【００９９】
また、本実施形態では、建物１が建設される地域の地域情報に対応する降雨強度に基づいて、竪樋５の一本あたりの負担屋根投影平面積を決定する構成とした例を示したが、このような態様に限られない。例えば、地域情報に対応する降雨強度に関わらず、竪樋５の一本あたりの負担屋根投影平面積を決定する構成としてもよい。
【符号の説明】
【０１００】
１      建物
２      屋根部
３      雨樋
４      軒樋
５      竪樋
１００  竪樋本数算出システム
１０２  制御部
【図１】
2020166613.tif 000003
【図２】
2020166613.tif 000004
【図３】
2020166613.tif 000005
【図４】
2020166613.tif 000006
【図５】
2020166613.tif 000007
【図６】
2020166613.tif 000008
【図７】
2020166613.tif 000009
【図８】
2020166613.tif 000010